(57)【要約】【課題】高輝度のプロジェクタに好適に用いることのできる光源装置であって、複数の光源ランプのうちいずれかの光源ランプが点灯不可能状態となった場合であっても、光源装置全体としての照度低下を抑制することが可能で、光源ランプの交換時間を短縮できるとともに交換作業の手間を省くことが可能な光源装置を提供する。【解決手段】光源駆動時に光源ランプを点灯させる位置となる第１位置Ｐ１及び第２位置Ｐ２並びに光源駆動時に光源ランプを点灯させない位置となる第３位置Ｐ３にそれぞれ配置される光源ランプ１Ａ〜１Ｃと、回転保持基板７０と、光合成光学系９０と、点灯状態検出部７２０と、点灯状態検出部７２０によって点灯不可能状態であると検出された光源ランプを第３位置に移動させるとともに第３位置に配置された光源ランプを第１位置又は第２位置に移動させるように、回転保持基板７０を回転させる回転駆動部７００とを備える光源装置１１０。【選択図】図３
2008299237.tif 000002
【特許請求の範囲】
【請求項１】
光源駆動時に光源ランプを点灯させる位置となる第１位置及び第２位置並びに光源駆動時に光源ランプを点灯させない位置となる第３位置にそれぞれ配置される少なくとも３つの光源ランプと、
前記第１位置〜前記第３位置から略等しい距離に回転軸を有し、照明光軸に垂直な面内で前記少なくとも３つの光源ランプを回転可能に保持する回転保持基板と、
前記第１位置及び前記第２位置に配置された光源ランプからの光を合成して射出する光合成光学系と、
前記第１位置及び前記第２位置に配置された光源ランプが点灯可能状態であるか点灯不可能状態であるかを検出する点灯状態検出部と、
前記点灯状態検出部によって前記第１位置及び前記第２位置のうち少なくとも一方の位置に配置された光源ランプが点灯不可能状態であると検出されたときに、当該点灯不可能状態の光源ランプを前記第３位置に移動させるとともに前記第３位置に配置された光源ランプを前記第１位置及び前記第２位置のうち少なくとも一方の位置に移動させるように、前記回転保持基板を回転させる回転駆動部とを備えることを特徴とする光源装置。
【請求項２】
請求項１に記載の光源装置において、
前記第３位置には、２つ以上の光源ランプが配置されていることを特徴とする光源装置。
【請求項３】
請求項２に記載の光源装置において、
前記第１位置と前記第２位置とは、前記回転保持基板の回転方向に沿って隣り合う位置にあり、
前記回転駆動部は、前記点灯状態検出部によって前記第１位置及び前記第２位置のうちいずれか一方の位置に配置された光源ランプが点灯不可能状態であると検出されたときには、当該一方の位置に配置された点灯不可能状態の光源ランプを前記第３位置に移動させるとともに、前記第１位置及び前記第２位置のうち他方の位置に配置された点灯可能状態の光源ランプを前記一方の位置に移動させ、前記第３位置に配置された光源ランプを前記他方の位置に移動させるように、前記回転保持基板を回転させることを特徴とする光源装置。
【請求項４】
請求項１〜３のいずれかに記載の光源装置において、
前記少なくとも３つの光源ランプが保持された回転保持基板は、他の回転保持基板と交換可能に構成されていることを特徴とする光源装置。
【請求項５】
請求項１〜４のいずれかに記載の光源装置と、
前記光源装置からの光を画像情報に応じて変調する電気光学変調装置と、
前記電気光学変調装置によって変調された光を投写する投写光学系とを備えることを特徴とするプロジェクタ。
【発明の詳細な説明】
【技術分野】
【０００１】
本発明は、光源装置及びプロジェクタに関する。
【背景技術】
【０００２】
従来より高輝度のプロジェクタが求められており、その要求に応えるものとして、複数の光源ランプを備えるプロジェクタ（いわゆる多灯式のプロジェクタ）が提案されている（例えば、特許文献１参照。）。
【０００３】
従来の多灯式のプロジェクタによれば、光源装置として、複数の光源ランプを有する光源装置を用いているため、従来よりも高輝度のプロジェクタを構成することができる。
【０００４】
【特許文献１】特開平８−３６１８０号公報
【発明の開示】
【発明が解決しようとする課題】
【０００５】
しかしながら、従来の多灯式のプロジェクタに用いる光源装置においては、複数の光源ランプのうちいずれかの光源ランプにおいて発光管の発光が弱まったり切れたりして点灯不可能状態となった場合には、光源装置全体としての照度が低下するという問題がある。
【０００６】
また、従来の光源装置においては、複数の光源ランプのうちいずれかの光源ランプが点灯不可能状態となった場合、当該点灯不可能状態の光源ランプを新しい光源ランプに手作業で交換する必要があるため、光源ランプの交換時間が長くなり交換作業に手間がかかるという問題がある。
【０００７】
そこで、本発明は、上記の問題を解決するためになされたもので、高輝度のプロジェクタに好適に用いることのできる光源装置であって、複数の光源ランプのうちいずれかの光源ランプが点灯不可能状態となった場合であっても、光源装置全体としての照度低下を抑制することが可能で、光源ランプの交換時間を短縮できるとともに交換作業の手間を省くことが可能な光源装置及びプロジェクタを提供することを目的とする。
【課題を解決するための手段】
【０００８】
本発明の光源装置は、光源駆動時に光源ランプを点灯させる位置となる第１位置及び第２位置並びに光源駆動時に光源ランプを点灯させない位置となる第３位置にそれぞれ配置される少なくとも３つの光源ランプと、前記第１位置〜前記第３位置から略等しい距離に回転軸を有し、照明光軸に垂直な面内で前記少なくとも３つの光源ランプを回転可能に保持する回転保持基板と、前記第１位置及び前記第２位置に配置された光源ランプからの光を合成して射出する光合成光学系と、前記第１位置及び前記第２位置に配置された光源ランプが点灯可能状態であるか点灯不可能状態であるかを検出する点灯状態検出部と、前記点灯状態検出部によって前記第１位置及び前記第２位置のうち少なくとも一方の位置に配置された光源ランプが点灯不可能状態であると検出されたときに、当該点灯不可能状態の光源ランプを前記第３位置に移動させるとともに前記第３位置に配置された光源ランプを前記第１位置及び前記第２位置のうち少なくとも一方の位置に移動させるように、前記回転保持基板を回転させる回転駆動部とを備えることを特徴とする。
【０００９】
このため、本発明の光源装置によれば、光源駆動時に光源ランプを点灯させる位置となる第１位置及び第２位置にそれぞれ光源ランプが配置されるとともに、第１位置及び第２位置に配置された光源ランプからの光を光合成光学系によって合成して射出する構成としているため、高輝度のプロジェクタに好適に用いることのできる光源装置となる。
【００１０】
また、本発明の光源装置によれば、上述の点灯状態検出部を備えているため、第１位置及び第２位置のうち少なくとも一方の位置に配置された光源ランプが点灯不可能状態となったときに、いずれの光源ランプが点灯不可能状態となったかを点灯状態検出部によって検出することが可能となる。また、上述の回転保持基板と回転駆動部とを備えているため、点灯不可能状態となった光源ランプを第３位置に移動させて第３位置に配置された光源ランプを第１位置及び第２位置のうち少なくとも一方の位置に移動させることが可能となる。すなわち、本発明の光源装置によれば、第１位置又は第２位置に配置された光源ランプが点灯不可能状態となったときには、点灯不可能状態となった光源ランプを新しい光源ランプに切り替えることが可能となるため、光源装置全体としての照度が低下するのを抑制することが可能となる。
【００１１】
また、本発明の光源装置によれば、回転保持基板及び回転駆動部によって上述した光源ランプの切り替えを行うことができるため、光源ランプの交換作業を手作業で行う必要がなくなり、光源ランプの交換時間を短縮できるとともに交換作業の手間を省くことが可能となる。
【００１２】
したがって、本発明の光源装置は、高輝度のプロジェクタに好適に用いることのできる光源装置であって、複数の光源ランプのうちいずれかの光源ランプが点灯不可能状態となった場合であっても、光源装置全体としての照度低下を抑制することが可能で、光源ランプの交換時間を短縮できるとともに交換作業の手間を省くことが可能な光源装置となる。
【００１３】
本発明の光源装置においては、前記第３位置には、２つ以上の光源ランプが配置されていることが好ましい。
【００１４】
このように構成することにより、予備の光源ランプを複数備えることができるため、光源装置の長寿命化を図ることが可能となる。
【００１５】
本発明の光源装置においては、前記第１位置と前記第２位置とは、前記回転保持基板の回転方向に沿って隣り合う位置にあり、前記回転駆動部は、前記点灯状態検出部によって前記第１位置及び前記第２位置のうちいずれか一方の位置に配置された光源ランプが点灯不可能状態であると検出されたときには、当該一方の位置に配置された点灯不可能状態の光源ランプを前記第３位置に移動させるとともに、前記第１位置及び前記第２位置のうち他方の位置に配置された点灯可能状態の光源ランプを前記一方の位置に移動させ、前記第３位置に配置された光源ランプを前記他方の位置に移動させるように、前記回転保持基板を回転させることが好ましい。
【００１６】
このように構成することにより、点灯不可能状態となった光源ランプ（一方の光源ランプ）を新しい光源ランプ（第３位置に配置されている光源ランプ）に切り替えることが可能となるとともに、まだ使用可能な光源ランプ（他方の光源ランプ）を、新しい光源ランプ（第３位置に配置されている光源ランプ）に切り替えることなく一方の光源ランプが配置されていた位置に配置して使用し続けることが可能となるため、光源装置全体としての長寿命化を図ることが可能となる。
【００１７】
本発明の光源装置においては、前記少なくとも３つの光源ランプが保持された回転保持基板は、他の回転保持基板と交換可能に構成されていることが好ましい。
【００１８】
このように構成することにより、点灯不可能状態となった光源ランプを回転保持基板ごと取り外すことができるとともに、新たな光源ランプを回転保持基板ごと組み込むことができるため、複数（少なくとも３つ）の光源ランプのすべてを新たな光源ランプに交換する場合に、非常に簡易に交換することが可能となる。
【００１９】
本発明のプロジェクタは、本発明の光源装置と、前記光源装置からの光を画像情報に応じて変調する電気光学変調装置と、前記電気光学変調装置によって変調された光を投写する投写光学系とを備えることを特徴とする。
【００２０】
このため、本発明のプロジェクタによれば、上述した優れた光源装置を備えているため、高輝度のプロジェクタであって、複数の光源ランプのうちいずれかの光源ランプが点灯不可能状態となった場合であっても、投写画像の照度低下を抑制することが可能で、光源ランプの交換時間を短縮できるとともに交換作業の手間を省くことが可能なプロジェクタとなる。
【発明を実施するための最良の形態】
【００２１】
以下、本発明の光源装置及びプロジェクタについて、図に示す実施の形態に基づいて説明する。
【００２２】
［実施形態１］
まず、実施形態１に係るプロジェクタ１０００の構成について、図１〜図５を用いて説明する。
【００２３】
図１は、実施形態１に係る光源装置１１０及びプロジェクタ１０００の光学系を示す図である。図１（ａ）は、光源装置１１０及びプロジェクタ１０００の光学系を上から見た図であり、図１（ｂ）は光源装置１１０及びプロジェクタ１０００の光学系を横から見た図である。なお、図１（ａ）においては、光源ランプ１Ｃの図示を省略している。
【００２４】
図２は、実施形態１に係る光源装置１１０を説明するために示す図である。図２（ａ）は光源装置１１０の斜視図であり、図２（ｂ）は光源ランプ１Ａ〜１Ｃ及び回転保持基板７０の斜視図である。
図３は、実施形態１に係る光源装置１１０を説明するために示す図である。図３（ａ）は光合成光学系９０側から見たときの光源ランプ１Ａ〜１Ｃ及び回転保持基板７０を模式的に示す図であり、図３（ｂ）は回転駆動部７００及び点灯状態検出部７２０を説明するために示す図である。
【００２５】
図４は、インテグレータロッド２００を説明するために示す図である。図４（ａ）はインテグレータロッド２００の斜視図であり、図４（ｂ）はインテグレータロッド２００の光射出面２０４を照明光軸ＯＣに沿って見た図である。
図５は、カラーホイール２５０を示す図である。
【００２６】
なお、以下の説明においては、互いに直交する３つの方向をそれぞれｚ軸方向（図１（ａ）における照明光軸ＯＣ方向）、ｘ軸方向（図１（ａ）における紙面に平行かつｚ軸に直交する方向）及びｙ軸方向（図１（ａ）における紙面に垂直かつｚ軸に直交する方向）とする。
【００２７】
実施形態１に係るプロジェクタ１０００は、図１に示すように、照明光束を射出する光源装置１１０と、光源装置１１０からの照明光束をより均一な強度分布を有する光に変換する機能を有するインテグレータロッド２００と、インテグレータロッド２００の光射出側に配置されるカラーホイール２５０と、カラーホイール２５０を通過した光を被照明領域に導光するリレー光学系３００と、リレー光学系３００からの光を画像情報に応じて変調する電気光学変調装置としてのマイクロミラー型光変調装置４００と、マイクロミラー型光変調装置４００で変調された光をスクリーンＳＣＲ等の投写面に投写する投写光学系６００とを備えるプロジェクタである。
【００２８】
光源装置１１０は、図１〜図３に示すように、３つの光源ランプ１Ａ〜１Ｃと、照明光軸ＯＣに垂直な面内で３つの光源ランプ１Ａ〜１Ｃを回転可能に保持する回転保持基板７０と、２つの反射ミラー８０，８２と、光合成光学系９０と、回転保持基板７０を回転させる機能を有する回転駆動部７００と、点灯状態検出部７２０とを備える。
【００２９】
光源ランプ１Ａは、楕円面リフレクタ１０Ａと、楕円面リフレクタ１０Ａの第１焦点近傍に発光中心を有する発光管２０Ａと、反射手段としての副鏡６０Ａとを有する。光源ランプ１Ａは、ランプ光軸１Ａａｘを中心軸とする光束を射出する。
【００３０】
発光管２０Ａは、管球部と、管球部の両側に延びる一対の封止部とを有している。管球部は、球状に形成された石英ガラス製であって、この管球部内に配置された一対の電極と、管球部内に封入された水銀、希ガス及び少量のハロゲンとを有する。発光管２０Ａとしては、種々の発光管を採用でき、例えば、メタルハライドランプ、高圧水銀ランプ、超高圧水銀ランプ等を採用できる。
【００３１】
楕円面リフレクタ１０Ａは、発光管２０Ａの一方の封止部に挿通・固着される開口部と、発光管２０Ａから放射された光を第２焦点位置に向けて反射する反射凹面とを有する。
【００３２】
副鏡６０Ａは、発光管２０Ａの管球部の略半分を覆い、楕円面リフレクタ１０Ａの反射凹面と対向して配置される反射手段である。副鏡６０Ａは、発光管２０Ａの他方の封止部に挿通・固着される開口部と、管球部から被照明領域側に向けて放射された光を管球部に向けて反射する反射凹面とを有する。副鏡６０Ａによって反射された光は、発光管２０Ａを透過して楕円面リフレクタ１０Ａに入射する。
【００３３】
他の光源ランプ１Ｂ，１Ｃは、光源ランプ１Ａと同様の構成を有するため、詳細な説明は省略する。
【００３４】
これら光源ランプ１Ａ〜１Ｃが配置される位置となる第１位置Ｐ１、第２位置Ｐ２及び第３位置Ｐ３について説明すると、第１位置Ｐ１及び第２位置Ｐ２は、光源駆動時に光源ランプを点灯させる位置であり、第３位置Ｐ３は、光源駆動時に光源ランプを点灯させない位置である。
各光源ランプ１Ａ〜１Ｃの配置位置について、例えば、光源ランプ１Ａは第１位置Ｐ１に配置され、光源ランプ１Ｂは第２位置Ｐ２に配置され、光源ランプ１Ｃは第３位置Ｐ３に配置されている。
【００３５】
回転保持基板７０は、第１位置Ｐ１〜第３位置Ｐ３から等しい距離に回転軸７０ａｘを有し、照明光軸ＯＣに垂直な面内で光源ランプ１Ａ〜１Ｃを回転可能に保持する円板状部材である。回転保持基板７０の中心部分には、回転保持基板７０を回転させるためのモータ７１０が配置されている（図３参照。）。
【００３６】
各光源ランプ１Ａ〜１Ｃのランプ光軸１Ａａｘ〜１Ｃａｘと回転保持基板７０の回転軸７０ａｘとの間の距離は、すべて同じ値（Ｌ）となる（図３（ａ）参照。）。このため、回転軸７０ａｘから第１位置Ｐ１〜第３位置Ｐ３の各位置までの距離は、それぞれ等しくなる。
【００３７】
光源ランプ１Ａ〜１Ｃが保持された回転保持基板７０（図２（ｂ）に示す状態の回転保持基板７０）は、他の回転保持基板と交換可能に構成されている。
【００３８】
反射ミラー８０は、図２（ａ）に示すように、第１位置Ｐ１の前方に配置され、第１位置Ｐ１に配置された光源ランプ（例えば光源ランプ１Ａ）からの光を光合成光学系９０に向けて反射する反射素子である。
反射ミラー８２は、第２位置Ｐ２の前方に配置され、第２位置Ｐ２に配置された光源ランプ（例えば光源ランプ１Ｂ）からの光を光合成光学系９０に向けて反射する反射素子である。
【００３９】
光合成光学系９０は、三角柱形状からなるプリズムの側面に２つの反射面が形成されたプリズムである。光合成光学系９０は、反射ミラー８０，８２の略中間位置に配置され、２つの光源ランプ（例えば光源ランプ１Ａ，１Ｂ）から射出され反射ミラー８０，８２で反射された光を合成して射出する機能を有する。
【００４０】
このように構成された反射ミラー８０，８２及び光合成光学系９０により、第１位置Ｐ１及び第２位置Ｐ２に配置された光源ランプからの照明光束を照明光軸ＯＣに沿った方向に向けて射出することが可能となる（図１参照。）。
【００４１】
回転駆動部７００は、図３（ｂ）に示すように、回転保持基板７０を回転させるためのモータ７１０と、モータ７１０の駆動を制御するモータ制御回路７１２とを有する。モータ制御回路７１２がモータ７１０の駆動を制御することによって、回転保持基板７０の回転角の制御が可能となるように構成されている。
【００４２】
点灯状態検出部７２０は、第１位置Ｐ１及び第２位置Ｐ２に配置された光源ランプが点灯可能状態であるか点灯不可能状態であるかを検出し、当該検出情報を回転駆動部７００のモータ制御回路７１２に送信する機能を有する。光源ランプが点灯可能状態であるか点灯不可能状態であるかを検出するための手段としては、例えば、発光管の温度を検出したり、発光管の光量を検出したり、発光管に流れる電流量を検出する手段を好適に用いることができる。
【００４３】
なお、回転駆動部７００及び点灯状態検出部７２０による回転保持基板７０の回転動作ついては、詳細に後述する。
【００４４】
インテグレータロッド２００は、図４に示すように、光源装置１１０からの光を内面で多重反射させることにより、光源装置１１０からの光をより均一な強度分布を有する光に変換する機能を有する光学部材である。インテグレータロッド２００としては、例えば、中実のガラスロッドを好適に用いることができる。
【００４５】
インテグレータロッド２００の光射出面２０４の形状は、マイクロミラー型光変調装置４００の画像形成領域の形状とほぼ相似形をなすように設定されている。ただし、照明光軸ＯＣはマイクロミラー型光変調装置４００の中心軸に対して傾斜して配置されているので、マイクロミラー型光変調装置４００に照射される光は、この傾斜に応じて歪んだ輪郭形状を有することとなる。したがって、このような場合におけるインテグレータロッド２００の光射出面２０４の形状としては、マイクロミラー型光変調装置４００に照射される光の輪郭の歪みを補正するような形状とすることがより好ましい。
【００４６】
カラーホイール２５０は、図５に示すように、回転方向に沿って区切られた４つの扇形の領域に３つの透過型のカラーフィルタ２６０Ｒ，２６０Ｇ，２６０Ｂが形成された円板状部材である。カラーホイール２００の中心部分には、カラーホイール２００を回転させるためのモータ２７０が配置されている。
【００４７】
カラーフィルタ２６０Ｒは、インテグレータロッド２００からの照明光束のうち、赤の波長領域の光を透過し、他の波長領域の光を反射又は吸収することにより、赤色光成分のみを透過するものである。同様に、カラーフィルタ２６０Ｇ，２６０Ｂは、それぞれ、インテグレータロッド２００からの照明光束のうち、緑又は青の波長領域の光を透過し、他の波長領域の光を反射又は透過することにより、緑色光成分又は青色光成分のみを透過するものである。カラーフィルタ２６０Ｒ，２６０Ｇ，２６０Ｂは、例えば、誘電体多層膜や、塗料を用いて形成されたフィルタ板などを好適に用いることができる。４つの扇形領域において、カラーフィルタ２６０Ｒ，２６０Ｇ，２６０Ｂ以外の部分は、透光領域２６０Ｗとなっており、インテグレータロッド２００からの光がそのまま通過できるようになっている。この透光領域２６０Ｗにより、投写画像中の輝度を上げることができ、投写画像の明るさを確保することができる。
【００４８】
なお、カラーホイール２５０は省略することも可能であり、この場合における投写画像はモノクロ画像である。
【００４９】
インテグレータロッド２００から射出された照明光束は、カラーホイール２５０を通過することにより、上述のように赤色光、緑色光及び青色光の３つの色光成分を含む照明光束になり、この照明光束は、リレー光学系３００によって拡大されて、マイクロミラー型光変調装置４００の画像形成領域上に照射される。
【００５０】
リレー光学系３００は、図１に示すように、リレーレンズ３１０と、反射ミラー３２０と、集光レンズ３３０とを有し、インテグレータロッド２００（カラーホイール２５０）からの照明光束をマイクロミラー型光変調装置４００の画像形成領域に導く機能を有する。
【００５１】
リレーレンズ３１０は、集光レンズ３３０とともに、インテグレータロッド２００からの照明光束を発散させずにマイクロミラー型光変調装置４００の画像形成領域近傍に結像させる機能を有する。なお、リレーレンズ３１０は、１枚のレンズで構成されていてもよいし、複数のレンズを組み合わせた複合レンズで構成されていてもよい。
【００５２】
反射ミラー３２０は、照明光軸ＯＣに対して傾斜して配置され、リレーレンズ３１０からの照明光束を曲折し、マイクロミラー型光変調装置４００へと導光する。これにより、プロジェクタ１０００をコンパクトにすることができる。
【００５３】
集光レンズ３３０は、リレーレンズ３１０及び反射ミラー３２０からの照明光束をマイクロミラー型光変調装置４００の画像形成領域にほぼ重畳させ、かつ、マイクロミラー型光変調装置４００によって変調された光を投写光学系６００とともに拡大投写するものである。
【００５４】
マイクロミラー型光変調装置４００は、リレー光学系３００からの光を画像情報に応じて各画素に対応するマイクロミラーで反射することにより、画像を表す画像光を投写光学系６００へと射出する機能を有する反射方向制御型光変調装置である。マイクロミラー型光変調装置４００としては、例えば、ＤＭＤ（デジタルマイクロミラーデバイス）（ＴＩ社の商標）を用いることができる。
【００５５】
マイクロミラー型光変調装置４００から射出される画像光は、投写光学系６００によって拡大投写され、スクリーンＳＣＲ上で大画面画像を形成する。
【００５６】
マイクロミラー型光変調装置４００と投写光学系６００とは、それぞれの中心軸が一致するように配置されている。なお、実施形態１に係るプロジェクタ１０００をあおり投写の構成を有するプロジェクタとする場合には、マイクロミラー型光変調装置４００の中心軸に対して投写光学系６００の投写光軸６００ａｘがあおり方向にずれるように構成することが好ましい。
【００５７】
次に、回転駆動部７００及び点灯状態検出部７２０による回転保持基板７０の回転動作について、図６を用いて説明する。
【００５８】
図６は、回転保持基板７０の回転動作を説明するために示す図である。図６（ａ）は光源ランプ１Ｂが点灯不可能状態となる前の状態を模式的に示す図であり、図６（ｂ）は光源ランプ１Ｂが点灯不可能状態となった直後の状態を模式的に示す図であり、図６（ｃ）は点灯不可能状態となった光源ランプ１Ｂを第３位置Ｐ３に移動させた後の状態を模式的に示す図である。
【００５９】
回転駆動部７００は、点灯状態検出部７２０によって第１位置Ｐ１及び第２位置Ｐ２のうち少なくとも一方の位置に配置された光源ランプが点灯不可能状態であると検出されたときに、当該点灯不可能状態の光源ランプを第３位置Ｐ３に移動させるとともに第３位置Ｐ３に配置された光源ランプを第１位置Ｐ１及び第２位置Ｐ２のうち少なくとも一方の位置に移動させるように、回転保持基板７０を回転させる機能を有する。
【００６０】
具体的に説明すると、例えば光源ランプ１Ａ〜１Ｃが図６（ａ）に示すように第１位置Ｐ１〜第３位置Ｐ３に配置されていた場合において、図６（ｂ）に示すように第２位置Ｐ２に配置された光源ランプ１Ｂの発光管が弱まったり切れたりして点灯不可能状態となると、点灯状態検出部７２０は、第２位置Ｐ２に配置された光源ランプ１Ｂが点灯不可能状態であることを検出し、回転駆動部７００にその旨の情報（検出情報）を送信する。
【００６１】
回転駆動部７００は、点灯状態検出部７２０から上記検出情報を受信すると、点灯不可能状態の光源ランプ１Ｂを第３位置Ｐ３に移動させるとともに、第１位置Ｐ１に配置された点灯可能状態の光源ランプ１Ａを第２位置Ｐ２に移動させ、第３位置Ｐ３に配置された光源ランプ１Ｃを第１位置Ｐ１に移動させるように、回転保持基板７０を図６（ｃ）に示す矢印Ｒ１方向に回転させる。
【００６２】
これにより、点灯不可能状態となった光源ランプ１Ｂを第３位置Ｐ３へと移動させることが可能となるとともに、第１位置Ｐ１に配置された点灯可能状態の光源ランプ１Ａを第２位置Ｐ２に移動させ、第３位置Ｐ３に配置された新しい光源ランプ１Ｃを第１位置Ｐ１に移動させることが可能となる。つまり、点灯不可能状態となった光源ランプ１Ｂを新しい光源ランプ１Ｃに切り替えることが可能となる。
【００６３】
なお、第２位置Ｐ２に配置された光源ランプ１Ｂではなく第１位置Ｐ１に配置された光源ランプ１Ａが点灯不可能状態となった場合には、図示による説明は省略するが、回転駆動部７００は、点灯状態検出部７２０から第１位置Ｐ１に配置された光源ランプ１Ａが点灯不可能状態である旨の情報を受信すると、点灯不可能状態の光源ランプ１Ａを第３位置Ｐ３に移動させるとともに、第２位置Ｐ２に配置された点灯可能状態の光源ランプ１Ｂを第１位置Ｐ１に移動させ、第３位置Ｐ３に配置された光源ランプ１Ｃを第２位置Ｐ２に移動させるように、回転保持基板７０を回転させる。これにより、点灯不可能状態となった光源ランプ１Ａを新しい光源ランプ１Ｃに切り替えることが可能となる。この場合、回転保持基板７０を矢印Ｒ１方向に回転させることにより、回転保持基板７０の回転方向を一方向に揃えることができるし、回転保持基板７０を矢印Ｒ１とは反対方向に回転させることにより、回転保持基板７０の回転量を少なくすることが可能となる。
【００６４】
以上、実施形態１に係る光源装置１１０によれば、光源駆動時に光源ランプを点灯させる位置となる第１位置Ｐ１及び第２位置Ｐ２にそれぞれ光源ランプが配置されるとともに、第１位置Ｐ１及び第２位置Ｐ２に配置された光源ランプからの光を光合成光学系９０によって合成して射出する構成としているため、高輝度のプロジェクタに好適に用いることのできる光源装置となる。
【００６５】
また、実施形態１に係る光源装置１１０によれば、上述の点灯状態検出部７２０を備えているため、第１位置Ｐ１及び第２位置Ｐ２のうち少なくとも一方の位置に配置された光源ランプが点灯不可能状態となったときに、いずれの光源ランプが点灯不可能状態となったかを点灯状態検出部７２０によって検出することが可能となる。また、上述の回転保持基板７０と回転駆動部７００とを備えているため、点灯不可能状態となった光源ランプを第３位置Ｐ３に移動させて第３位置Ｐ３に配置された光源ランプを第１位置Ｐ１及び第２位置Ｐ２のうち少なくとも一方の位置に移動させることが可能となる。すなわち、実施形態１に係る光源装置１１０によれば、第１位置Ｐ１又は第２位置Ｐ２に配置された光源ランプが点灯不可能状態となったときには、点灯不可能状態となった光源ランプを新しい光源ランプに切り替えることが可能となるため、光源装置１１０全体としての照度が低下するのを抑制することが可能となる。
【００６６】
また、実施形態１に係る光源装置１１０によれば、回転保持基板７０及び回転駆動部７００によって上述した光源ランプの切り替えを行うことができるため、光源ランプの交換作業を手作業で行う必要がなくなり、光源ランプの交換時間を短縮できるとともに交換作業の手間を省くことが可能となる。
【００６７】
したがって、実施形態１に係る光源装置１１０は、高輝度のプロジェクタに好適に用いることのできる光源装置であって、複数の光源ランプのうちいずれかの光源ランプが点灯不可能状態となった場合であっても、光源装置全体としての照度低下を抑制することが可能で、光源ランプの交換時間を短縮できるとともに交換作業の手間を省くことが可能な光源装置となる。
【００６８】
実施形態１に係る光源装置１１０においては、第１位置Ｐ１と第２位置Ｐ２とは、回転保持基板７０の回転方向に沿って隣り合う位置にあり、回転駆動部７００は、点灯状態検出部７２０によって第１位置Ｐ１及び第２位置Ｐ２のうちいずれか一方の位置に配置された光源ランプ（例えば図６（ｂ）に示す第２位置Ｐ２に配置された光源ランプ１Ｂ）が点灯不可能状態であると検出されたときには、当該一方の位置に配置された点灯不可能状態の光源ランプ（光源ランプ１Ｂ）を第３位置Ｐ３に移動させるとともに、第１位置Ｐ１及び第２位置Ｐ２のうち他方の位置に配置された点灯可能状態の光源ランプ（例えば図６（ｂ）に示す第１位置Ｐ１に配置された光源ランプ１Ａ）を一方の位置（第２位置Ｐ２）に移動させ、第３位置Ｐ３に配置された光源ランプ（例えば図６（ｂ）に示す光源ランプ１Ｃ）を他方の位置（第１位置Ｐ１）に移動させるように、回転保持基板７０を回転させることとしている。これにより、点灯不可能状態となった光源ランプ（光源ランプ１Ｂ）を新しい光源ランプ（第３位置に配置されている光源ランプ１Ｃ）に切り替えることが可能となるとともに、まだ使用可能な光源ランプ（光源ランプ１Ａ）を、新しい光源ランプ（第３位置に配置されている光源ランプ１Ｃ）に切り替えることなく光源ランプ１Ｂが配置されていた位置（第２位置Ｐ２）に配置して使用し続けることが可能となるため、光源装置１１０全体としての長寿命化を図ることが可能となる。
【００６９】
実施形態１に係る光源装置１１０においては、複数の光源ランプ１Ａ〜１Ｃが保持された回転保持基板７０は、他の回転保持基板と交換可能に構成されている。これにより、点灯不可能状態となった光源ランプを回転保持基板７０ごと取り外すことができるとともに、新たな光源ランプを回転保持基板ごと組み込むことができるため、複数の光源ランプのすべてを新たな光源ランプに交換する場合に、非常に簡易に交換することが可能となる。
【００７０】
実施形態１に係るプロジェクタ１０００は、上述した優れた光源装置１１０を備えているため、高輝度のプロジェクタであって、複数の光源ランプのうちいずれかの光源ランプが点灯不可能状態となった場合であっても、投写画像の照度低下を抑制することが可能で、光源ランプの交換時間を短縮できるとともに交換作業の手間を省くことが可能なプロジェクタとなる。
【００７１】
［実施形態２］
図７及び図８は、実施形態２に係る光源装置１１２を説明するために示す図である。図７（ａ）は光源装置１１２の斜視図であり、図７（ｂ）は光源ランプ１Ａ〜１Ｄ及び回転保持基板７２の斜視図である。図８は、光合成光学系１３０側から見たときの光源ランプ１Ａ〜１Ｄ及び回転保持基板７２を模式的に示す図である。
図９は、回転保持基板７２の回転動作を説明するために示す図である。図９（ａ）は光源ランプ１Ｂが点灯不可能状態となる前の状態を模式的に示す図であり、図９（ｂ）は光源ランプ１Ｂが点灯不可能状態となった直後の状態を模式的に示す図であり、図９（ｃ）は点灯不可能状態となった光源ランプ１Ｂを第３位置Ｐ３に移動させた後の状態を模式的に示す図であり、図９（ｄ）はさらに光源ランプ１Ａが点灯不可能状態となった直後の状態を模式的に示す図であり、図９（ｅ）は点灯不可能状態となった光源ランプ１Ａを第３位置Ｐ３に移動させた後の状態を模式的に示す図である。
なお、図７〜図９において、図２、図３及び図６と同一の部材については同一の符号を付し、詳細な説明は省略する。
【００７２】
実施形態２に係る光源装置１１２は、基本的には実施形態１に係る光源装置１１０とよく似た構成を有しているが、光源ランプの数（第３位置に配置される光源ランプの数）が、実施形態１に係る光源装置１１０とは異なる。
【００７３】
すなわち、実施形態２に係る光源装置１１２においては、図７〜図９に示すように、４つの光源ランプ１Ａ〜１Ｄを備えており、第３位置Ｐ３には、２つの光源ランプ（光源ランプ１Ｃ，１Ｄ）が配置されるように構成されている。
【００７４】
なお、光源ランプ１Ｄは、実施形態１で説明した光源ランプ１Ａ〜１Ｃと同様の構成を有するため、詳細な説明は省略する。
また、回転保持基板７２、反射ミラー１２０，１２２及び光合成光学系１３０は、実施形態１で説明したものと同様の構成を有するため、詳細な説明は省略する。
【００７５】
回転保持基板７２の回転動作について、図９を用いて具体的に説明すると、例えば光源ランプ１Ａ〜１Ｄが図９（ａ）に示すように第１位置Ｐ１〜第３位置Ｐ３に配置されていた場合において、図９（ｂ）に示すように第２位置Ｐ２に配置された光源ランプ１Ｂの発光管が弱まったり切れたりして点灯不可能状態となると、点灯状態検出部７２０（図示せず。）は、第２位置Ｐ２に配置された光源ランプ１Ｂが点灯不可能状態であることを検出し、回転駆動部７００（図示せず。）にその旨の情報（検出情報）を送信する。
【００７６】
回転駆動部７００は、点灯状態検出部７２０から上記検出情報を受信すると、点灯不可能状態の光源ランプ１Ｂを第３位置Ｐ３（光源ランプ１Ｃが配置されていた位置）に移動させるとともに、第１位置Ｐ１に配置された点灯可能状態の光源ランプ１Ａを第２位置Ｐ２に移動させ、第３位置Ｐ３に配置された光源ランプ１Ｄを第１位置Ｐ１に移動させ、第３位置Ｐ３に配置された光源ランプ１Ｃを光源ランプ１Ｄが配置されていた位置に移動させるように、回転保持基板７２を図９（ｃ）に示す矢印Ｒ１方向に回転させる。
【００７７】
これにより、点灯不可能状態となった光源ランプ１Ｂを第３位置Ｐ３へと移動させることが可能となるとともに、第１位置Ｐ１に配置された点灯可能状態の光源ランプ１Ａを第２位置Ｐ２に移動させ、第３位置Ｐ３に配置された新しい光源ランプ１Ｄを第１位置Ｐ１に移動させることが可能となる。つまり、点灯不可能状態となった光源ランプ１Ｂを新しい光源ランプ１Ｄに切り替えることが可能となる。
【００７８】
なお、図９（ｃ）に示す光源ランプ１Ａは、光源ランプ１Ｄよりも積算点灯時間が長いことから、光源ランプ１Ｄよりも先に点灯不可能状態となる場合がある（図９（ｄ）参照。）。この場合の回転保持基板７２の回転動作について図９（ｄ）及び図９（ｅ）を用いて説明すると、点灯状態検出部７２０は、第２位置Ｐ２に配置された光源ランプ１Ａが点灯不可能状態であることを検出すると、回転駆動部７００にその旨の情報（検出情報）を送信する。
【００７９】
回転駆動部７００は、点灯状態検出部７２０から上記検出情報を受信すると、点灯不可能状態の光源ランプ１Ａを第３位置Ｐ３（光源ランプ１Ｂが配置されていた位置）に移動させるとともに、第１位置Ｐ１に配置された点灯可能状態の光源ランプ１Ｄを第２位置Ｐ２に移動させ、第３位置Ｐ３に配置された光源ランプ１Ｃを第１位置Ｐ１に移動させ、第３位置Ｐ３に配置された光源ランプ１Ｂを光源ランプ１Ｃが配置されていた位置に移動させるように、回転保持基板７２を図９（ｅ）に示す矢印Ｒ１方向に回転させる。
【００８０】
これにより、点灯不可能状態となった光源ランプ１Ａを第３位置Ｐ３へと移動させることが可能となるとともに、第１位置Ｐ１に配置された点灯可能状態の光源ランプ１Ｄを第２位置Ｐ２に移動させ、第３位置Ｐ３に配置された新しい光源ランプ１Ｃを第１位置Ｐ１に移動させることが可能となる。つまり、点灯不可能状態となった光源ランプ１Ａを新しい光源ランプ１Ｃに切り替えることが可能となる。
【００８１】
このように、実施形態２に係る光源装置１１２は、実施形態１に係る光源装置１１０とは、光源ランプの数（第３位置に配置される光源ランプの数）が異なるが、実施形態１に係る光源装置１１０の場合と同様に、第１位置Ｐ１及び第２位置Ｐ２に配置された光源ランプからの光を光合成光学系１３０によって合成して射出する構成としているため、高輝度のプロジェクタに好適に用いることのできる光源装置となる。
【００８２】
また、実施形態２に係る光源装置１１２によれば、実施形態１に係る光源装置１１０の場合と同様に、第１位置Ｐ１又は第２位置Ｐ２に配置された光源ランプが点灯不可能状態となったときには、点灯不可能状態となった光源ランプを新しい光源ランプに切り替えることが可能となるため、光源装置１１２全体としての照度が低下するのを抑制することが可能となる。
【００８３】
また、実施形態２に係る光源装置１１２によれば、実施形態１に係る光源装置１１０の場合と同様に、回転保持基板７２及び回転駆動部７００によって上述した光源ランプの切り替えを行うことができるため、光源ランプの交換作業を手作業で行う必要がなくなり、光源ランプの交換時間を短縮できるとともに交換作業の手間を省くことが可能となる。
【００８４】
したがって、実施形態２に係る光源装置１１２は、高輝度のプロジェクタに好適に用いることのできる光源装置であって、複数の光源ランプのうちいずれかの光源ランプが点灯不可能状態となった場合であっても、光源装置全体としての照度低下を抑制することが可能で、光源ランプの交換時間を短縮できるとともに交換作業の手間を省くことが可能な光源装置となる。
【００８５】
実施形態２に係る光源装置１１２においては、第３位置Ｐ３には、２つの光源ランプが配置されている。これにより、予備の光源ランプを複数備えることができるため、光源装置の長寿命化を図ることが可能となる。
【００８６】
実施形態２に係る光源装置１１２は、光源ランプの数（第３位置に配置される光源ランプの数）が異なる点以外の点では、実施形態１に係る光源装置１１０と同様の構成を有するため、実施形態１に係る光源装置１１０が有する効果のうち該当する効果をそのまま有する。
【００８７】
［実施形態３］
図１０及び図１１は、実施形態３に係る光源装置１１４を説明するために示す図である。図１０（ａ）は光源装置１１４の斜視図であり、図１０（ｂ）は光源ランプ１Ａ〜１Ｄ及び回転保持基板７４の斜視図である。図１１は、光合成光学系１５０側から見たときの光源ランプ１Ａ〜１Ｄ及び回転保持基板７４を模式的に示す図である。
図１２は、回転保持基板７４の回転動作を説明するために示す図である。図１２（ａ）は光源ランプ１Ｂが点灯不可能状態となる前の状態を模式的に示す図であり、図１２（ｂ）は光源ランプ１Ｂが点灯不可能状態となった直後の状態を模式的に示す図であり、図１２（ｃ）は点灯不可能状態となった光源ランプ１Ｂを第３位置Ｐ３に移動させた後の状態を模式的に示す図である。
なお、図１０〜図１２において、図２、図３及び図６並びに図７〜図９と同一の部材については同一の符号を付し、詳細な説明は省略する。
【００８８】
実施形態３に係る光源装置１１４は、基本的には実施形態２に係る光源装置１１２とよく似た構成を有しているが、第１位置〜第３位置の配置が、実施形態２に係る光源装置１１２とは異なる。
【００８９】
すなわち、実施形態２に係る光源装置１１２においては、図８に示すように、第１位置Ｐ１と第２位置Ｐ２とが回転保持基板７２の回転方向に沿って隣り合う位置に配置され、第１位置Ｐ１及び第２位置Ｐ２における回転方向に沿った隣の位置に第３位置Ｐ３が配置されている。
これに対し、実施形態３に係る光源装置１１４においては、図１１に示すように、第１位置Ｐ１と第２位置Ｐ２とが回転軸７４ａｘを挟んで向かい合うように配置され、第１位置Ｐ１及び第２位置Ｐ２における回転方向に沿った隣の位置に第３位置Ｐ３が配置されている。第３位置Ｐ３には、２つの光源ランプ（光源ランプ１Ｃ，１Ｄ）が配置されるように構成されている。
【００９０】
なお、回転保持基板７４、反射ミラー１４０，１４２及び光合成光学系１５０は、実施形態１で説明したものと同様の構成を有するため、詳細な説明は省略する。
【００９１】
回転保持基板７４の回転動作について、図１２を用いて具体的に説明すると、例えば光源ランプ１Ａ〜１Ｄが図１２（ａ）に示すように第１位置Ｐ１〜第３位置Ｐ３に配置されていた場合において、図１２（ｂ）に示すように第２位置Ｐ２に配置された光源ランプ１Ｂの発光管が弱まったり切れたりして点灯不可能状態となると、点灯状態検出部７２０（図示せず。）は、第２位置Ｐ２に配置された光源ランプ１Ｂが点灯不可能状態であることを検出し、回転駆動部７００（図示せず。）にその旨の情報（検出情報）を送信する。
【００９２】
回転駆動部７００は、点灯状態検出部７２０から上記検出情報を受信すると、点灯不可能状態の光源ランプ１Ｂを第３位置Ｐ３（光源ランプ１Ｃが配置されていた位置）に移動させるとともに、第３位置Ｐ３に配置された光源ランプ１Ｃを第１位置Ｐ１に移動させ、第１位置Ｐ１に配置された光源ランプ１Ａを第３位置Ｐ３（光源ランプ１Ｄが配置されていた位置）に移動させ、第３位置Ｐ３に配置された光源ランプ１Ｄを第２位置Ｐ２に移動させるように、回転保持基板７４を図１２（ｃ）に示す矢印Ｒ１方向に回転させる。
【００９３】
これにより、点灯不可能状態となった光源ランプ１Ｂを第３位置Ｐ３へと移動させることが可能となるとともに、第１位置Ｐ１に配置された点灯可能状態の光源ランプ１Ａを第３位置Ｐ３に移動させ、第３位置Ｐ３に配置された新しい光源ランプ１Ｃ，１Ｄを第１位置Ｐ１及び第２位置Ｐ２に移動させることが可能となる。つまり、点灯不可能状態となった光源ランプ１Ｂを新しい光源ランプ１Ｄに切り替えることが可能となる。
【００９４】
なお、回転保持基板７４の回転方向を矢印Ｒ１とは反対方向としてもよい。この場合は、点灯不可能状態となった光源ランプ１Ｂを新しい光源ランプ１Ｃに切り替えることが可能となる。
【００９５】
このように、実施形態３に係る光源装置１１４は、実施形態２に係る光源装置１１２とは、第１位置〜第３位置の配置が異なるが、実施形態１及び２に係る光源装置１１０，１１２の場合と同様に、第１位置Ｐ１及び第２位置Ｐ２に配置された光源ランプからの光を光合成光学系１５０によって合成して射出する構成としているため、高輝度のプロジェクタに好適に用いることのできる光源装置となる。
【００９６】
また、実施形態３に係る光源装置１１４によれば、実施形態１及び２に係る光源装置１１０，１１２の場合と同様に、第１位置Ｐ１又は第２位置Ｐ２に配置された光源ランプが点灯不可能状態となったときには、点灯不可能状態となった光源ランプを新しい光源ランプに切り替えることが可能となるため、光源装置１１４全体としての照度が低下するのを抑制することが可能となる。
【００９７】
また、実施形態３に係る光源装置１１４によれば、実施形態１及び２に係る光源装置１１０，１１２の場合と同様に、回転保持基板７４及び回転駆動部７００によって上述した光源ランプの切り替えを行うことができるため、光源ランプの交換作業を手作業で行う必要がなくなり、光源ランプの交換時間を短縮できるとともに交換作業の手間を省くことが可能となる。
【００９８】
したがって、実施形態３に係る光源装置１１４は、高輝度のプロジェクタに好適に用いることのできる光源装置であって、複数の光源ランプのうちいずれかの光源ランプが点灯不可能状態となった場合であっても、光源装置全体としての照度低下を抑制することが可能で、光源ランプの交換時間を短縮できるとともに交換作業の手間を省くことが可能な光源装置となる。
【００９９】
実施形態３に係る光源装置１１４は、第１位置〜第３位置の配置が異なる点以外の点では、実施形態２に係る光源装置１１２と同様の構成を有するため、実施形態２に係る光源装置１１２が有する効果のうち該当する効果をそのまま有する。
【０１００】
以上、本発明の光源装置及びプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１０１】
（１）上記実施形態１に係る光源装置１１０においては、３つの光源ランプを備える場合を例示して説明し、上記実施形態２及び３に係る光源装置１１２，１１４においては、４つの光源ランプを備える場合を例示して説明したが、本発明はこれに限定されるものではなく、５つ以上の光源ランプを備えていてもよい。また、上記実施形態２及び３に係る光源装置１１２，１１４においては、第３位置Ｐ３に２つの光源ランプが配置されるように構成されている場合を例示して説明したが、本発明はこれに限定されるものではなく、第３位置Ｐ３に３つ以上の光源ランプが配置されるように構成されていてもよい。
【０１０２】
（２）上記各実施形態に係る光源装置１１０〜１１４においては、回転保持基板の回転軸の軸方向と同じ方向にランプ光軸が向くように、各光源ランプが配置されている場合を例示して説明したが、本発明はこれに限定されるものではなく、回転保持基板の回転軸に垂直な方向にランプ光軸が向くように、かつ、各光源ランプからの光が回転保持基板の内側（回転軸側）に照射されるように、各光源ランプが配置されていてもよい。この場合、各光源ランプと光合成光学系との間に配置される２枚の反射ミラー（反射ミラー８０，８２，１２０，１２２，１４０，１４２）を省略することも可能である。
【０１０３】
（３）上記各実施形態に係る光源装置１１０〜１１４においては、回転駆動部７００が、点灯状態検出部７２０から第１位置Ｐ１又は第２位置Ｐ２に配置された光源ランプが点灯不可能状態である旨の検出情報を受信する場合を例示的に説明したが、本発明はこれに限定されるものではなく、回転駆動部７００がポーリングして点灯状態検出部７２０から当該検出情報を取得するものであってもよい。
【０１０４】
（４）上記各実施形態に係る光源装置１１０〜１１４においては、光合成光学系としてプリズムを用いたが、本発明はこれに限定されるものではなく、反射ミラー（反射ミラー８０，８２，１２０，１２２，１４０，１４２とは異なる反射ミラー）を用いてもよい。
【０１０５】
（５）上記各実施形態に係る光源装置１１０〜１１４においては、回転保持基板の回転方向を一方向にのみ回転可能とすることもできるし、両方向に回転可能とすることもできる。
【０１０６】
（６）上記各実施形態に係る光源装置１１０〜１１４においては、回転保持基板として、円板状部材を用いたが、本発明はこれに限定されるものではなく、他の形状（例えば略三角形状、略四角形状）からなるものを用いてもよい。
【０１０７】
（７）上記各実施形態に係る光源装置１１０〜１１４においては、発光管に配設される反射手段として副鏡を用いたが、本発明はこれに限定されるものではなく、反射手段として反射膜を用いることも好ましい。また、上記各実施形態に係る光源装置１１０〜１１４においては、発光管に反射手段としての副鏡が配設された光源装置を例示して説明しているが、本発明はこれに限定されるものではなく、副鏡が配設されていない光源装置に本発明を適用することも可能である。
【０１０８】
（８）上記各実施形態に係る光源装置１１０〜１１４においては、光源ランプとして、楕円面リフレクタからなる光源ランプを用いたが、本発明はこれに限定されるものではなく、放物面リフレクタからなる光源ランプを用いてもよい。
【０１０９】
（９）上記実施形態１に係るプロジェクタ１０００においては、インテグレータロッドとして、中実のロッドを用いたが、本発明はこれに限定されるものではなく、中空のロッド（例えば４枚の反射ミラーを貼り合わせたもの）を用いてもよい。また、上記実施形態１に係るプロジェクタ１０００においては、光均一化光学系として、インテグレータロッドからなるロッドインテグレータ光学系を用いたが、本発明はこれに限定されるものではなく、レンズアレイからなるレンズインテグレータ光学系を用いてもよい。
【０１１０】
（１０）上記実施形態１に係るプロジェクタ１０００においては、電気光学変調装置として、マイクロミラー型光変調装置４００を用いたが、本発明はこれに限定されるものではなく、液晶パネルを備える液晶装置を用いてもよい。この場合の液晶装置の数については、特に限定されるものではなく、例えば３つの液晶装置を用いたいわゆる３板式の液晶プロジェクタの構成としてもよいし、１つ、２つ又は４つ以上の液晶装置を用いてプロジェクタを構成してもよい。なお、液晶装置としては、光を透過するタイプの液晶装置を用いてもよいし、光を反射するタイプの液晶装置を用いてもよい。
【０１１１】
（１１）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１１２】
【図１】実施形態１に係る光源装置１１０及びプロジェクタ１０００の光学系を示す図。
【図２】実施形態１に係る光源装置１１０を説明するために示す図。
【図３】実施形態１に係る光源装置１１０を説明するために示す図。
【図４】インテグレータロッド２００を説明するために示す図。
【図５】カラーホイール２５０を示す図。
【図６】回転保持基板７０の回転動作を説明するために示す図。
【図７】実施形態２に係る光源装置１１２を説明するために示す図。
【図８】実施形態２に係る光源装置１１２を説明するために示す図。
【図９】回転保持基板７２の回転動作を説明するために示す図。
【図１０】実施形態３に係る光源装置１１４を説明するために示す図。
【図１１】実施形態３に係る光源装置１１４を説明するために示す図。
【図１２】回転保持基板７４の回転動作を説明するために示す図。
【符号の説明】
【０１１３】
１Ａ，１Ｂ，１Ｃ，１Ｄ…光源ランプ、１Ａａｘ，１Ｂａｘ，１Ｃａｘ，１Ｄａｘ…ランプ光軸、１０Ａ，１０Ｂ，１０Ｃ，１０Ｄ…楕円面リフレクタ、２０Ａ，２０Ｂ，２０Ｃ，２０Ｄ…発光管、６０Ａ，６０Ｂ，６０Ｃ，６０Ｄ…副鏡、７０，７２，７４…回転保持基板、７０ａｘ，７２ａｘ，７４ａｘ…回転軸、８０，８２，１２０，１２２，１４０，１４２…反射ミラー、９０，１３０，１５０…光合成光学系、１１０，１１２，１１４…光源装置、２００…インテグレータロッド、２０２…（インテグレータロッドの）光入射面、２０４…（インテグレータロッドの）光射出面、２５０…カラーホイール、２６０Ｒ，２６０Ｇ，２６０Ｂ…カラーフィルタ、２６０Ｗ…透光領域、２７０…モータ、３００…リレー光学系、３１０…リレーレンズ、３２０…反射ミラー、３３０…集光レンズ、４００…マイクロミラー型光変調装置、６００…投写光学系、６００ａｘ…投写光軸、７００…回転駆動部、７１０…モータ、７１２…モータ制御回路、７２０…点灯状態検出部、１０００…プロジェクタ、ＯＣ…照明光軸、Ｐ１…第１位置、Ｐ２…第２位置、Ｐ３…第３位置、ＳＣＲ…スクリーン
【図３】
2008299237.tif 000003
【図５】
2008299237.tif 000004
【図８】
2008299237.tif 000005
【図１１】
2008299237.tif 000006
【図１】
2008299237.tif 000007
【図２】
2008299237.tif 000008
【図４】
2008299237.tif 000009
【図６】
2008299237.tif 000010
【図７】
2008299237.tif 000011
【図９】
2008299237.tif 000012
【図１０】
2008299237.tif 000013
【図１２】
2008299237.tif 000014